(57)【要約】【課題】１つのオーダの画像データを複数の出力装置で出力する場合でも出力物を漏れなく管理する装置を構成する。【解決手段】第１プリント装置Ａと、第２プリント装置Ｂと、ディスクライターＣとで成る出力装置に画像データを伝送して出力を行う場合に、各オーダの処理状況を判定することにより未処理のオーダのオーダ識別情報と、処理中のオーダのオーダ識別情報と、処理済みのオーダのオーダ識別情報との何れかをオーダ管理装置Ｄのモニタ６２に一覧化して表示する一覧化表示手段７３を備え、１つのオーダの画像データを複数の出力装置で出力する場合に同じオーダ識別情報を同じ表示属性で表示する関連付表示手段７４を備えた。【選択図】図３
2009288447.tif 000002
【特許請求の範囲】
【請求項１】
出力装置での画像データの出力状況をオーダ毎に把握し、処理情報として表示部に表示するオーダ管理部を備えているオーダ管理装置であって、
前記オーダ管理部は、複数の前記出力装置における未処理のオーダのオーダ識別情報と、処理済みのオーダのオーダ識別情報とを前記表示部に出力する一覧化表示手段を備えると共に、１つのオーダの画像データが複数の出力装置で出力される際には、複数の出力装置に対応して表示されるオーダ識別情報を関連付けて表示する関連付表示手段を備えているオーダ管理装置。
【請求項２】
前記一覧化表示手段は、複数の前記出力装置に対応したアイコンを直線的に並列配置して表示すると共に、前記アイコンを基準にした一方の領域に未処理のオーダのオーダ識別情報を表示し、このアイコンを基準にした他方の領域に処理済みのオーダのオーダ識別情報を表示し、前記関連付表示手段は、同じオーダ識別情報を同じ表示属性で表示する、又は、紐付け情報を付して表示する請求項１記載のオーダ管理装置。
【請求項３】
前記一覧化表示手段は、未処理のオーダのオーダ識別情報と処理済みのオーダのオーダ識別情報とを異なる表示属性、又は異なる表示形態で表示する請求項１又は２記載のオーダ管理装置。
【請求項４】
前記出力装置からの出力物を処理袋に収容する場合に、前記オーダ識別情報に対応して前記処理袋に付された管理情報を情報取得部で取得することにより、前記表示部に表示されている処理済みのオーダのオーダ識別情報の消去を行うように前記一覧化表示手段は処理形態が設定されると共に、１つのオーダの画像データを複数の出力装置で出力する処理が行われ、夫々の出力装置に対応した複数の処理袋が存在する状況において、前記情報取得部で全ての管理情報を取得するまでは、未収容の出力物の存在を示す報知情報を出力する報知情報出力手段を備えている請求項１〜３のいずれか１項に記載のオーダ管理装置。
【請求項５】
出力装置での画像データの出力状況をオーダ毎に把握し、処理情報として表示部に表示するオーダ管理プログラムであって、
複数の前記出力装置における未処理のオーダのオーダ識別情報、及び、処理済みのオーダのオーダ識別情報を前記表示部に出力する一覧化表示機能と、
１つのオーダの画像データが複数の出力装置で出力される際には、複数の出力装置に対応して表示されるオーダ識別情報を関連付けて表示する関連付表示機能とをコンピュータによって実現するオーダ管理プログラム。
【発明の詳細な説明】
【技術分野】
【０００１】
本発明は、出力装置での画像データの出力状況をオーダ毎に把握し、処理情報として表示部に表示するオーダ管理部を備えているオーダ管理装置、及び、オーダ管理プログラムに関する。
【背景技術】
【０００２】
上記のように構成されたオーダ管理装置として、特許文献１に記載されるものが存在する。この特許文献１には制御部３３が処理情報探知部３３ａと処理情報表示部３３ｂとを有しており、オーダ情報を入力部から入力することにより、処理情報探知部３３ａがオーダ情報に対応した処理情報を探知し、そのオーダ情報に対応する処理情報を処理情報表示部３３ｂが表示部２３（表示部の一例）に表示する処理形態が示されている。
【０００３】
具体的な処理形態としては、キーボード２４からオーダ番号を入力すること、又は、モニタ２３に表示されたオーダの一覧から所望のオーダ番号（文献中ではオーダー番号）を選択することで、対応するオーダの処理の工程に対応する部分画像をモニタ２３に表示する点が示されている。特に、複数の処理が並行して行われている場合には対応する複数の部分画像をモニタ２３に表示する点が示されている。
【０００４】
【特許文献１】特開２００７‐２７２１０９号公報  （段落番号〔００３５〜００３８〕、〔００４４〜００４８〕、図１〜図１２）
【発明の開示】
【発明が解決しようとする課題】
【０００５】
特許文献１に記載されたもののように、オーダを指定することで、そのオーダの処理の工程を表示するものや、複数のオーダの処理の工程を一覧化して表示するものは、オーダの管理の面で有用である。
【０００６】
ＤＰ店でのプリント等の処理を考えると、ミニラボと称せられるプリント装置によって画像データを印画紙にプリントする処理、あるいは、ドライプリンタと称せられるインクジェット型のプリント装置によって画像データをプリント紙にプリントする処理、あるいは、メディアドライブによって画像データをＣＤ−Ｒ等のメディアに記録する処理も多く行われている。
【０００７】
また、単一のオーダの画像データを異なる出力装置から出力することも普通に行われており、このように複数の出力装置で画像データの出力を行った場合には、出力された処理物（プリントやメディアの総称）を１つのＤＰ袋等に纏める作業が行われる。
【０００８】
しかしながら、多くの顧客からのオーダを受け付け、夫々オーダの画像データを複数の出力装置で出力する処理を考えると、個々のオーダの出力処理の進捗状況を管理するだけではなく、１つのオーダの画像データを複数の出力装置で出力した場合には、夫々の出力装置で出力された処理物を漏れなく顧客に受け渡すための管理も必要とする。
【０００９】
本発明の目的は、１つのオーダの画像データを複数の出力装置で出力する場合でも出力物を漏れなく管理する装置を合理的に構成する点にある。
【課題を解決するための手段】
【００１０】
本発明の特徴は、出力装置での画像データの出力状況をオーダ毎に把握し、処理情報としてモニタに表示するオーダ管理部を備えているオーダ管理装置であって、
前記オーダ管理部は、複数の前記出力装置における未処理のオーダのオーダ識別情報と、処理済みのオーダのオーダ識別情報とを前記モニタに出力する一覧化表示手段を備えると共に、１つのオーダの画像データが複数の出力装置で出力される際には、複数の出力装置に対応して表示されるオーダ識別情報を関連付けて表示する関連付表示手段を備えている点にある。
【００１１】
この構成によると、複数のオーダの画像データが出力される出力装置をモニタの表示から判定できると共に、そのオーダの画像データが未処理であるのか処理済みであるのかの判定も可能となる。特に、１つのオーダの画像データが複数の出力装置で出力される場合でも、オーダ識別情報が関連付けて表示されるため、出力物を一纏めにする作業も容易に行える。その結果、１つのオーダの画像データを複数の出力装置で出力する場合でも、出力物を漏れなく管理できる装置が構成された。
【００１２】
本発明は、前記一覧化表示手段が、複数の前記出力装置に対応したアイコンを直線的に並列配置して表示すると共に、前記アイコンを基準にした一方の領域に未処理のオーダのオーダ識別情報を表示し、このアイコンを基準にした他方の領域に処理済みのオーダのオーダ識別情報を表示し、前記関連付表示手段は、同じオーダ識別情報を同じ表示属性で表示する、又は、紐付け情報を付して表示しても良い。これによると、モニタに表示されたアイコンの位置に基づいてオーダの処理状況を把握でき、１つのオーダの画像データを複数の出力装置で出力する場合でも出力装置での処理状況を視覚によって容易に取得できる。
【００１３】
本発明は、前記一覧化表示手段が、未処理のオーダのオーダ識別情報と処理済みのオーダのオーダ識別情報とを異なる表示属性、又は異なる表示形態で表示しても良い。これによると、オーダ識別情報の表示属性からオーダの処理状況を把握できる。
【００１４】
本発明は、前記出力装置からの出力物を処理袋に収容する場合に、前記オーダ識別情報に対応して前記処理袋に付された管理情報を情報取得部で取得することにより、前記モニタに表示されている処理済みのオーダのオーダ識別情報の消去を行うように前記一覧化表示手段は処理形態が設定されると共に、１つのオーダの画像データを複数の出力装置で出力する処理が行われ、夫々の出力装置に対応した複数の処理袋が存在する状況において、前記情報取得部で全ての管理情報を取得するまでは、未収容の出力物の存在を示す報知情報を出力する報知情報出力手段を備えても良い。これによると、１つのオーダの画像データを複数の出力装置で出力した後に、複数の出力装置に対応した処理袋に対応する出力物が収納されない場合には未収納の出力物が存在することを示す報知情報が出力されることになり、漏れのない処理を実現する。
【００１５】
本発明の特徴は、出力装置での画像データの出力状況をオーダ毎に把握し、処理情報として表示部に表示するオーダ管理プログラムであって、
複数の前記出力装置における未処理のオーダのオーダ識別情報、及び、処理済みのオーダのオーダ識別情報を前記表示部に出力する一覧化表示機能と、１つのオーダの画像データが複数の出力装置で出力される際には、複数の出力装置に対応して表示されるオーダ識別情報を関連付けて表示する関連付表示機能とをコンピュータによって実現する点にある。
【００１６】
この構成によると、複数のオーダの画像データが出力される出力装置を表示部の表示から判定できると共に、そのオーダの画像データが未処理であるのか処理済みであるのかの判定も可能となる。特に、１つのオーダの画像データが複数の出力装置で出力される場合でも、オーダ識別情報が関連付けて表示されるため、出力物を一纏めにする作業も容易に行える。その結果、１つのオーダの画像データを複数の出力装置で出力する場合でも、出力物を漏れなく管理できるプログラムが構成された。
【発明を実施するための最良の形態】
【００１７】
以下、本発明の実施形態を図面に基づいて説明する。
〔全体構成〕
図１及び図２に示すように、銀塩式の印画紙Ｐ１に画像データのプリントを行う第１プリント装置Ａと、記録紙Ｐ２に画像データのプリントを行うインクジェット型の第２プリント装置Ｂと、ＣＤ−ＲやＤＶＤ−Ｒ等のディスク状のメディアに画像データ等の情報を書き込むディスクライターＣと、これらの管理を行うオーダ管理装置Ｄと、顧客からの画像データの受け付けを行う受付装置Ｅとを備えて写真処理システムが構成されている。
【００１８】
第１プリント装置Ａと、第２プリント装置Ｂと、ディスクライターＣと、オーダ管理装置Ｄと、受付装置ＥとはＬＡＮスイッチやハブ等で成る中継器１と通信ケーブル２とを備えたＣＳＭＡ／ＣＤ（Carrier Sense Multiple Access with Collision Detection）方式のイーサネット（Ethernet）（商標）型のＬＡＮで成る通信ネットワークで接続されている。尚、通信ネットワークとしてイーサネット型のＬＡＮ以外に、例えば、インターネットの技術を用いたイントラネットで構築されるものや、ＷＡＮ（Wide Area Network）の技術によって構築されるものでも良い。
【００１９】
この写真処理システムはＤＰ店に設置されるものの一例を示しており、デジタルカメラで撮影に使用された記録媒体や、写真フィルム等をＤＰ店のオペレータがカウンターテーブル３において顧客と対面して受け付けることや、受付装置Ｅにおいて顧客がデジタルカメラで撮影に使用した記録媒体やＣＤ−Ｒ等をセットし、顧客が出力対象とする画像データを指定することによりオーダが生成される。
【００２０】
第１プリント装置Ａと、第２プリント装置Ｂと、ディスクライターＣとで本発明の出力装置が構成され、第１プリント装置Ａでプリントされた印画紙Ｐ１と、第２プリント装置でプリントされた記録紙Ｐ２と、ディスクライターＣによって情報が記録されたメディアＭとが本発明の出力物となる。また、オーダ管理装置Ｄは、第１プリント装置Ａと、第２プリント装置Ｂと、ディスクライターＣとにおけるオーダの処理状況（進捗状態）を把握するオーダ管理プログラムがインストールされている。
【００２１】
生成されたオーダには、数字や文字、あるいは、これらを組み合わせたオーダ識別情報が与えられ、そのオーダに対応するパッケージとしての処理袋４が作成され、その処理袋４にはオーダ識別情報に対応するバーコード情報５（管理情報の一例）が形成される。出力装置ではオーダ識別情報に基づいて出力物が管理され、出力装置からの出力物は処理袋４に収容され、顧客の名前に基づいて仕分けられ、ラック６に収納される。
【００２２】
この写真処理システムでは、同じオーダの画像データを複数の出力装置で出力する場合に、出力装置の数に対応した数の処理袋４が作成され、夫々の処理袋に共通するバーコード情報５が形成されるものを想定しているが、処理袋４が１つであっても良い。また、出力装置の数に対応した数の処理袋４を作成する場合に、処理袋４毎に出力装置を特定する情報を含むバーコード情報５を形成しても良い。
【００２３】
〔第１プリント装置〕
第１プリント装置Ａは、暗箱構造の筐体１０の内部のロール状の印画紙Ｐ１をカッター１１でプリントサイズに切断し、露光部１２で画像データの露光を行い、縦搬送部１３で印画紙Ｐ１の表裏を反転させて上方に搬送し、現像処理部１４の複数の現像処理槽において現像処理を行い、乾燥部１５においてブロワーからの乾燥風により乾燥を行い、この後、筐体１０の端部の排出部１６から排出し、搬送ベルト１７で受け止めて水平方向に搬送し、ソータ１８の複数のトレイ１８Ａの何れかにオーダ単位で回収する処理を行う。
【００２４】
この第１プリント装置Ａの外部にはプリント処理に必要な情報の入力を行うオペレート部が形成されている。このオペレート部は、テーブル部２０に設置された汎用コンピュータで成る画像処理装置２１と、この画像処理装置２１の上面に設置されたディスプレイ２２と、現像処理後の写真フィルムのコマ画像から画像データを取得するフィルムスキャナ２３と、キーボード２４と、マウス２５とを備えている。
【００２５】
画像処理装置２１の前面にはコンパクトフラッシュ（商標）やメモリースティック（商標）等各種の半導体型の記録媒体（図示せず）、あるいは、ＣＤ−ＲＯＭ、ＤＶＤ、ＭＯ等の磁気式や光学式の記録媒体（図示せず）等から画像データを取得する複数のメディアドライブ２６を備えている。
【００２６】
〔第２プリント装置〕
第２プリント装置Ｂは、ケース３０の内部にロール状の記録紙Ｐ２を収容すると共に、この記録紙Ｐ２にインクを吹き付けて画像データのプリントを行うプリントヘッド３１と、この記録紙Ｐ２をプリントサイズに切断するカッター３２と、プリントされた記録紙Ｐ２が送り出される排出トレイ３３と、これらの処理を行うと共に通信ネットワークを介して情報のアクセスを行う出力制御ユニット３４を備えている。
【００２７】
この第２プリント装置Ｂでは、記録紙Ｐ２をプリントヘッド３１の下方位置に送り込み、プリントヘッド３１を主走査方向に往復移動させながら記録紙Ｐ２にインクを吹き付ける形態でプリントを行い、プリントされた記録紙Ｐ２をカッター３２でプリントサイズに切断して排出トレイ３３に排出する作動が行われる。
【００２８】
〔ディスクライター〕
ディスクライターＣは、ボディ４０の内部に未使用のメディアＭのセット部４１と、処理後のメディアＭの貯留部４２と、メディアＭに情報を書き込むと共にメディアＭのレーベル面に画像のプリントを行う処理部４３と、メディアＭを取り上げて水平方向に移動させるピックアップ部４４と、これらの制御及び通信ネットワークを介してデータのアクセスを行う書込処理ユニット４５を備えている。
【００２９】
このディスクライターＣは、ボディ４０の前部に開閉自在に備えたカバー４０Ａを開放することでセット部４１と貯留部４２とに対するメディアＭの補給や取り出しを行えるように構成されている。
【００３０】
処理部４３には出退自在にトレイ４３Ａが備えられ、画像データの書き込みを行う場合には、セット部４１のメディアＭをピックアップ部４４で取り上げてトレイ４３Ａに載置することで、処理部４３において画像データの書き込みやレーベル面に対する画像のプリントが行われる。この処理が行われたメディアＭはトレイ４３Ａとともに送り出され、このメディアＭをピックアップ部４４が取り上げて貯留部４２に送り込まれる。
【００３１】
〔受付装置〕
受付装置Ｅは、本体ケース５０の前面に対してコンパクトフラッシュ（商標）や、ＳＤカード（商標）や、メモリースティック（商標）等のフラッシュメモリで成る半導体型の記録媒体（図示せず）から画像データを取得する複数種の半導体ドライブ５１と、ＭＯやＣＤ−Ｒ等のディスク型のメディアからの画像データを取得するディスクドライブ５２と、レシートを排出するレシートプリンタ５３とを備え、表示面にタッチパネル５４を形成した液晶型のディスプレイ５５を備え、また、本体ケース５０の内部には画像データの処理と通信ネットワークを介してデータのアクセスを行う受付処理ユニット５６とを備えている。
【００３２】
この受付装置Ｅでは、顧客が記録媒体等をセットし、ディスプレイ５５に表示されるガイダンスに従って、タッチパネル５４に指等を接触させて操作を進めることで記録媒体等に記録されている画像データがサムネイル形式でディスプレイ５５に一覧表示される。この表示の中からプリントすべきものや、メディアに記録すべきものをタッチパネル５４に指等を接触させる形態で指定することにより、出力対象とする画像データが決まりオーダが設定される。
【００３３】
このような操作を行うことにより、オーダに対してオーダ識別情報が与えられ、このオーダ識別情報をレシートプリンタ５３においてレシート（図示せず）にプリントし引換証として顧客に引き渡すと共に、この指定された画像データと、出力形態に対応したオーダ情報とが通信ネットワークを介して対応する出力部に伝送され、更に、オーダ情報は通信ネットワークを介してオーダ管理装置Ｄに伝送される。
【００３４】
オーダ情報は図５に示すように、オーダ識別情報がファイル名に設定されると共に、このファイルに対して顧客情報と、出力指示情報と、この出力指示情報に付随する出力サイズ、ペーパ種、メディア種、画像データ指定情報、出力数情報等の情報と、仕上げ日時・受付日時情報とを書き込んだ情報構造を有している。また、１つのオーダにおいて複数の出力を行う場合には、オーダ情報に複数の出力指示情報が含まれることになる。
【００３５】
オーダ識別情報はオーダの受け付け時に数字あるいは文字、あるいはこれらを組み合わせたユニークな情報列であり、顧客情報には顧客の名前や住所、電話番号等が含まれる。出力指示情報には画像データの出力を行う出力装置ＩＤを含むものである。
【００３６】
１つのオーダ情報に基づいて複数の出力装置で出力を行う場合には、このオーダ情報を通信ネットワークを介して対応する複数の出力装置に伝送する処理が行われ、このオーダ情報を受信した出力装置では自己の出力装置ＩＤに一致する出力装置ＩＤの出力指示情報に対応した画像データを受付装置Ｅから取得し、出力指示情報に基づいた出力処理を行う。
【００３７】
尚、第１プリント装置Ａにおいて記録媒体から取得した画像データや、フィルムスキャナ２３で取得した画像データを他の出力装置で出力する場合にも、前述したものと同様にオーダ情報を通信ネットワークを介して対応する出力装置に伝送する処理が行われ、このオーダ情報を受信した出力装置では自己の出力装置ＩＤに一致する出力装置ＩＤの出力指示情報に対応した画像データを第１プリント装置Ａから取得し、出力指示情報に基づいた出力処理を行うことになる。
【００３８】
〔オーダ管理装置〕
オーダ管理装置Ｄは汎用コンピュータ６１と、情報を表示するモニタ６２と、情報が入力されるキーボード６３と、ポインティングデバイスとして機能するマウス６４と備えると共に、出力物を収容する処理袋４のバーコード情報５（管理情報の一例）を読み取るバーコードリーダ６５（情報取得部の一例）とを備えている。
【００３９】
このオーダ管理装置Ｄは、第１プリント装置Ａと、第２プリント装置Ｂと、ディスクライターＣとにおけるオーダの進捗状況をモニタ６２に表示することにより、オーダの管理を実現するオーダ管理プログラムがインストールされており、このオーダ管理装置Ｄにおける処理の詳細を以下に説明する。
【００４０】
〔オーダ管理装置の構成〕
図３に示すように、オーダ管理装置Ｄは、通信ネットワークを介して情報のアクセスを行う通信ユニット６６と、モニタ６２の表示に対応して汎用コンピュータ６１に入力された情報をＧＵＩ処理部６７と、モニタ６２に情報を表示する表示情報出力ユニット６８と、オーダ管理部７０とを備えている。
【００４１】
オーダ管理部７０は、出力管理手段７１と、処理情報解析手段７２と、一覧化表示手段７３（一覧化表示機能）と、関連付表示手段７４（関連付表示機能）と、報知情報出力手段７５と、表示フォーマッタ７６と、装置情報表示手段７７と、表示イメージ生成手段７８とを備えている。
【００４２】
尚、出力管理手段７１と、処理情報解析手段７２と、一覧化表示手段７３（一覧化表示機能）と、関連付表示手段７４（関連付表示機能）と、報知情報出力手段７５と、表示フォーマッタ７６と、装置情報表示手段７７と、表示イメージ生成手段７８とはオーダ管理プログラムとしてソフトウエアで構成するものを想定しているが、一部をハードウエアで構成しても良い。
【００４３】
出力管理手段７１は、第１プリント装置Ａと、第２プリント装置Ｂと、ディスクライターＣと、受付装置Ｅからの情報を通信ネットワークを介して取得することにより、出力装置を特定する出力装置特定処理を行うと共に、通信ネットワークを介して出力装置と受付装置Ｅとに対して比較的短いインターバルで要求情報を送信する要求情報送信処理と、この要求情報に対応して出力装置又は受付装置Ｅが送り出す処理情報を受信する処理情報受信処理と、要求情報又は出力装置が自ら送り出す装置情報を受信する装置情報受信処理とを行う。
【００４４】
処理情報は、要求情報に対する返り値として捉えることも可能であり、この処理情報は図６に示すように、出力装置ＩＤがファイル名に設定されると共に、このファイルに対してオーダ識別情報毎に未処理情報、処理中情報、処理済み情報のうちの何れかを示す情報を書き込んだ情報構造を有している。尚、出力装置で複数のオーダの出力を連続的に行う場合には、処理情報に複数のオーダ識別情報が含まれることになる。
【００４５】
処理情報解析手段７２は、オーダ識別情報が付されたオーダの各出力装置での処理状況（進捗状況）を判別する処理状況判別処理と、オーダ識別情報が付されたオーダの複数の出力装置での処理の有無を判別する複数出力判別処理と、オーダ識別情報が付されたオーダの優先的な処理の設定の有無を判定する優先処理判定処理とを行う。
【００４６】
一覧化表示手段７３は、モニタ６２に対して、第１プリント装置Ａと、第２プリント装置ＢとディスクライターＣ等に対応したアイコンを表示するアイコン表示処理と、オーダ識別情報の表示の要否を判定する表示要否判定処理と、オーダ識別情報の表示位置を判定する表示位置判定処理と、設定された位置にオーダ識別情報を表示するオーダ識別情報表示処理とを行う。
【００４７】
関連付表示手段７４は、同じオーダにおけるオーダ識別情報の関連付けを明らかにする関連付け表示処理を行う。報知情報出力手段７５は、１つのオーダが複数の出力装置で出力された状況で、処理が終了した後に全てのオーダ識別情報が消去されない場合に報知情報出力処理を行う。
【００４８】
表示フォーマッタ７６はモニタ６２に表示すべき情報のレイアウトを設定する。装置情報表示手段７７は、出力管理手段７１で受信した出力装置夫々の固有の装置情報に対応する情報を表示する処理を行う。
【００４９】
表示イメージ生成手段７８は、一覧化表示手段７３、関連付表示手段７４、報知情報出力手段７５からの情報、及び、装置情報表示手段７７からの情報を表示フォーマッタ７６で設定されたフォーマットにした位置関係で表示するイメージを生成し、表示情報出力ユニット６８に受け渡す。
【００５０】
〔処理の流れ〕
このような構成からオーダ管理部７０は図４に示すフローチャートに示される処理を行う。つまり、処理が開始されると、オーダ管理部７０が通信ネットワークに接続している出力装置を特定する処理を行い、図７に示すようにモニタ６２に管理画面８０を表示し、この管理画面８０に出力装置に対応するアイコン８２を表示フォーマッタ７６で設定されたフォーマットでモニタ６２に表示する（＃１０１ステップ）。
【００５１】
管理画面８０は、直線的に形成される水平表示領域８１に対して、出力装置の形状を模したイメージの前記アイコン８２が直線的に並列配置する位置関係で表示されると共に、縦方向に処理状況を示すインジケートバー８３が表示される。また、アイコン８２の上側（アイコン８２を基準にした一方の領域）と、下側（アイコン８２を基準にした他方の領域）とには後述するようにオーダ識別情報８４ａが示された矩形のオーダ表示領域８４が一覧化して表示される。
【００５２】
この実施形態では矩形のオーダ表示領域８４に対してオーダ識別情報８４ａを示す表示形態であるが、例えば、管理画面８０にオーダ識別情報８４ａだけを単純に表示するように表示形態を設定しても良い。
【００５３】
アイコン８２は、第１プリント装置Ａに対応したアイコン８２ａと、第２プリント装置Ｂに対応したアイコン８２ｂと、ディスクライターＣに対応したアイコン８２ｃとで構成されている。インジケートバー８３には、未処理の状態で出力対象の画像データの出力の要否の判定が行われていることを示す「ＪＵＤＧＥ」の文字と、処理中を示す「ＯＵＴＰＵＴ」の文字と、出力済みを示す「ＦＩＮＩＳＨ」の文字とが縦方向に並ぶ位置関係で表示される。
【００５４】
次に、出力管理手段７１が受信した処理情報を処理情報解析手段７２が解析し、処理状況に応じた位置に一覧化表示手段７３がオーダ識別情報８４ａを含むオーダ表示領域８４を縦方向にスタックする形態で表示する（＃１０２、＃１０３ステップ）。
【００５５】
この処理では、処理情報に基づいて出力装置毎に、その出力装置で出力されるオーダ（オーダ識別情報毎）について、未処理、処理中、処理済みの何れかの判定が行われる。この判定に基づいて、受付日時が早期のものほど下側に表示される。この処理は設定されたインターバルで行われるため、処理の進捗に対応して管理画面８０の表示が更新されることになる。
【００５６】
また、「ＪＵＤＧＥ」の文字と、処理中を示す「ＯＵＴＰＵＴ」の文字と、出力済みを示す「ＦＩＮＩＳＨ」の文字とは異なる色相で表示されており、オーダが未処理である場合には、アイコン８２の上側に未処理のオーダに対応するオーダ表示領域８４Ｘにオーダ表示領域８４が「ＪＵＤＧＥ」の文字に同じ又は類似する色相で表示される。
【００５７】
これと同様にオーダが処理中である場合には、未処理のオーダに対応するオーダ表示領域８４Ｘの下側に、出力中のオーダに対応するオーダ表示領域８４Ｙ（オーダ表示領域８４）が「ＯＵＴＰＵＴ」の文字に同じ又は類似する色相（表示属性の一例）で表示される。これと同様にオーダが処理済みである場合には、アイコン８２の下側に処理済みのオーダに対応するオーダ表示領域８４Ｚ（オーダ表示領域８４）が「ＦＩＮＩＳＨ」の文字に同じ又は類似する色相（表示属性の一例）で表示される。
【００５８】
このように３種のオーダ表示領域８４Ｘ、８４Ｙ、８４Ｚを表示する際に異なる表示属性として、異なる形状のアイコンを用いても良い。
【００５９】
これと同時に、複数の出力装置で出力される同じオーダにおける処理であるかの判定が行われ、同じオーダであることを判定した場合には関連付表示手段７４が、同じオーダ識別情報８４ａに対応するオーダ表示領域８４であることを視覚的に明らかにするように、オーダ表示領域８４を同じ色相（表示属性の一例）で表示する。尚、図７において同じオーダの識別情報には同じ数値を付しており、同じ色相のものにはハッチングを付して示している。
【００６０】
また、優先仕上げであるかの判定を行い、優先仕上げであることを判定した場合には優先仕上げを示す優先処理マーク８５（図７において＞＞＞で示されるもの）がオーダ表示領域８４に表示される。フローチャートには示していないが、優先仕上げのオーダについては、設定された仕上げ日時に処理が完了するようにオーダを実行する順序が設定され、優先処理マーク８５が表示されることで優先仕上げのオーダであることを容易に認識できるものとなる。
【００６１】
このように各オーダ識別情報８４ａを含むオーダ表示領域８４を表示する際に、スタックする形態で表示する場合には、先に受け付けたオーダに対応するオーダ表示領域８４が下側になるように処理順序を反映させた形態での表示が行われる。
【００６２】
また、関連付表示手段７４は、同じオーダのオーダ表示領域８４であることを視覚的に明らかにする表示属性であるため、例えば、複数のオーダ表示領域８４を同じ模様で表示することや、同じデザインのアイコン類で表示することや、複数のオーダ表示領域８４を同期したタイミングで点滅（ブリンク）させて表示するように処理形態を設定しても良い。
【００６３】
特に、この関連付表示手段７４は、図９に示すように、同じオーダに対応した複数のオーダ表示領域８４同士をラインＬ（紐付け情報の一例）によって紐付けするように処理形態を設定しても良い。
【００６４】
次に、出力装置で出力された出力物が処理袋４に収容され、処理袋４のバーコード情報５がバーコードリーダ６５で取得された場合には、管理画面８０に表示されているオーダ表示領域８４のうち、取得されたバーコード情報５に対応するオーダ識別情報８４ａを含むものを一覧化表示手段７３が消去する（＃１０４、＃１０５ステップ）。
【００６５】
このように処理袋４に出力物を収容した後には、前述した通り、処理袋４はラック６に収納され、顧客に対して受け渡し可能となる。
【００６６】
次に、管理画面８０からオーダ表示領域８４が消去された際に、同じオーダに対応したオーダ表示領域８４が管理画面８０に表示されていることを判別した場合には、報知情報出力手段７５が、管理画面８０に報知情報としてのメッセージを表示する（＃１０６、＃１０７ステップ）。
【００６７】
つまり、１つのオーダに対応して画像データの出力が複数の出力装置で行われた場合には、夫々の出力装置で出力された出力物を纏めて顧客に受け渡す必要があるために、同じオーダに対応した複数のオーダ表示領域８４の全てが消去されるまでは、全ての出力物が顧客に受け渡されないこともある。
【００６８】
この不都合を解消するために図８（ａ）に示すように、同じオーダに対応した複数のオーダ表示領域８４が表示されている状況において、図８（ｂ）に示すように、１つのオーダ表示領域８４が消去された場合には、報知情報出力手段７５がメッセージをメッセージエリア８７に表示し、更に、メッセージエリア８７と収容すべき出力物に対応した示すオーダ表示領域８４とを関連付けるリンクライン８９を表示する。
【００６９】
また、報知情報出力手段７５の処理として、メッセージの表示に代えて、メッセージを人の言葉となる音声で出力することや、メッセージエリア８７に対するメッセージの表示と同時に、音声の出力を行っても良い。
【００７０】
尚、管理画面８０からオーダ表示領域８４から消去する手段として、オペレータがスイッチ類を操作することや、出力装置から出力物を取り出したことを検出するセンサからの信号に基づいて消去を行うように処理形態を設定しても良い。
【００７１】
また、出力管理手段７１で受信した装置情報から装置情報表示手段７７が装置情報に対応したインジケート情報８６を管理画面８０に表示し、これらの一連の処理をリセットされるまで継続する（＃１０８、＃１０９ステップ）。
【００７２】
このインジケート情報８６とは、第１プリント装置Ａではプリント処理が可能な印画紙の種類を示す情報や、その印画紙Ｐ１の残量を示す情報である。また、第２プリント装置Ｂではインクの残量を示す情報である。また、ディスクライターＣでもインクの残量を示す情報である。
【００７３】
〔実施形態の効果〕
このように本発明によると、オペレータが顧客と対面して受け付けたオーダでも、顧客が受付装置Ｅにおいて操作を行ったことで受け付けたオーダでも、オーダに対応したオーダ識別情報８４ａが生成される。出力処理を行う場合にはモニタ６２に管理画面８０が表示され、この管理画面８０の水平表示領域８１に第１プリント装置Ａと、第２プリント装置Ｂと、ディスクライターＣとに対応するアイコン８２が表示され、これと同時にインジケートバー８３が表示される。更に、各出力装置において処理されるオーダ識別情報８４ａを含むオーダ表示領域８４が処理の状況に対応する位置に表示される。
【００７４】
これにより、管理画面８０に表示されたオーダ表示領域８４の表示位置から、そのオーダ識別情報８４ａが示すオーダの処理の状況（進捗状態）を把握できる。また、仕上がった出力物を出力装置からオペレータが取り込んだ場合には処理袋４のバーコード情報５をバーコードリーダ６５で取得する処理を行うだけで、管理画面８０に表示されているオーダ表示領域８４が消去される。この消去時には１つのオーダについて複数の出力装置で出力が行われ、未だ出力装置から取り込まれていないことを判定した場合には、取り込まれていない出力物が存在することを示すメッセージがメッセージエリア８７に表示され、取り込まれていない出力物を意識させ得るものにしている。
【００７５】
〔別実施形態〕
本発明は、上記した実施の形態以外に以下のように構成しても良い。
【００７６】
（ａ）オーダの管理のために専用のコンピュータを備えずに、例えば、第１プリント装置Ａのディスプレイ２２に管理情報を表示するように処理形態を設定する。このように構成することにより、オーダを管理するための専用のコンピュータを備えずとも第１プリント装置Ａにおいてオーダの管理が可能となる。
【００７７】
（ｂ）オーダの履歴を保存しておき、管理画面８０に対して処理を終え、顧客に既に受け渡されたオーダ識別情報の履歴を表示できるように構成する。このように構成することにより、顧客毎の出力処理の管理を行え、出力物を顧客に受け渡した後においても、顧客の情報の管理も可能となる。
【００７８】
（ｃ）管理画面８０に表示されているオーダ表示領域をカーソルで選択してクリックする等の操作により、選択したオーダ表示領域に対応したオーダの処理の内容を表示できるように構成する。このように構成することにより、管理画面８０においてオーダの内容を容易に確認することも可能となる。
【図面の簡単な説明】
【００７９】
【図１】写真処理システムの全体構成を示す斜視図
【図２】通信ネットワークで接続された写真処理システムを模式的に示す図
【図３】制御系のブロック回路図
【図４】オーダ管理ルーチンのフローチャート
【図５】オーダ情報の構造を示す図
【図６】処理情報の構造を示す図
【図７】管理画面を示す図
【図８】オーダ表示領域の表示形態とメッセージとを示す図
【図９】関連付表示手段の別実施形態を示す図
【符号の説明】
【００８０】
４            処理袋
５            管理情報（バーコード情報）
６２          表示部（モニタ）
６５          情報取得部（バーコードリーダ）
７０          オーダ管理部
７３          一覧化表示手段・一覧化表示機能
７４          関連付表示手段・関連付表示機能
７５          報知情報出力手段
８２          アイコン
８４ａ        オーダ識別情報
Ａ            出力装置（第１プリント装置）
Ｂ            出力装置（第２プリント装置）
Ｃ            出力装置（ディスクライター）
Ｌ            紐付け情報（ライン）
【図１】
2009288447.tif 000003
【図２】
2009288447.tif 000004
【図３】
2009288447.tif 000005
【図４】
2009288447.tif 000006
【図５】
2009288447.tif 000007
【図６】
2009288447.tif 000008
【図７】
2009288447.tif 000009
【図８】
2009288447.tif 000010
【図９】
2009288447.tif 000011